(57)【要約】      （修正有）【課題】１つのバックレストであっても、ソロ走行時とタンデム走行時とのいずれの場合にも、適切な状態で使用できる着座シート用のバックレストを提供する。【解決手段】着座シート用のバックレスト１は、メインシートＳ１と、その後方に設けられるタンデムスペースとを具える車両着座部に設けられるものであって、バックレスト１は、前後方向いずれかの向きを選択して、支持部材に固定できるようにし、バックレストパッド１１をメインシートＳ１直後方に臨ませた状態と、タンデムスペース直後方に臨ませた状態とを選択することができるように構成して成るものである。【選択図】図１
0003194036.tif 000002
【実用新案登録請求の範囲】
【請求項１】
メインシートと、その後方に設けられるタンデムスペースとを具える車両着座部に設けられるバックレストであって、
前記バックレストは、バックレストパッドと、このバックレストパッドから左右両側下方に向けて、前後方向に偏向するように伸びる偏向延長形状を有するステー本体とを具え、前記ステー本体は、その下方に着座部周辺の支持部材への固定構造を有し、前記ステー本体の有する偏向延長形状により、バックレストを前後方向いずれかの向きを選択して、支持部材に固定できるようにし、バックレストパッドをメインシート直後方に臨ませた状態と、タンデムスペース直後方に臨ませた状態とを選択することができるように構成したことを特徴とする着座シート用のバックレスト。
【請求項２】
前記ステー本体は、上方に設けられてバックレストパッドを支持するパッド支持枠と、このパッド支持枠を介して上方において一体に組み付けられる左右一対の偏向ステーとを具えて構成され、前記パッド支持枠に対して、その前後面にバックレストパッドを付け替え自在に構成していることを特徴とする請求項１記載の着座シート用のバックレスト。
【請求項３】
前記支持部材への固定構造は、片側ごとに前後一対とした前側と、後側のボルト孔であることを特徴とする請求項１または２記載の着座シート用のバックレスト。
【請求項４】
前記前後一対のボルト孔のいずれか一方または双方に対し、角度調整用ボルト孔を併設したことを特徴とする請求項３記載の着座シート用のバックレスト。
【考案の詳細な説明】
【技術分野】
【０００１】
本考案は、例えば自動二輪車の着座シートに併設して、ライダーの腰部を後方で支持する着座シート用のバックレストに関するものである。
【背景技術】
【０００２】
例えば、アメリカンタイプや、クルーザータイプと称される自動二輪車や、トライシクル、スクーターにあっては、ライダーの乗車姿勢は、上半身が直立乃至は後傾するものが多い。このような着座シートにバックレストが具えられていると、ここに腰部を凭れかけるようにすることにより、加速時はもとより、定常走行時においても腰への負担を軽減して走行することができる。
ところで、このようなバックレストがメインシートの後方に具えられているときには、ライダーは、そのサポート効果により、心地よいライディングができるものの、タンデムライディングを行う場合には、メインシート直後方にバックレストがあったのでは、タンデムライダーにとっては自然な着座姿勢をとることができないうえ、ライダーとの一体感を得ることができない。しかもタンデムライダーにとっては、バックレストによる身体の支持は受けることができない。因みにバックレストをタンデムライダー用に具え、且つタンデムライダーが居なかったり、これを用いない場合における実用性を考慮してバックレストを起倒自在に設ける等の工夫も開示されているが（特許文献１）、前述したような技術課題に応えるものは無かった。
【先行技術文献】
【特許文献】
【０００３】
【特許文献１】特開２００３−１８２６６５号公報
【考案の概要】
【考案が解決しようとする課題】
【０００４】
本考案は、これらの種々の背景を考慮してなされたものであって、1 つのバックレストであっても、ソロ走行時とタンデム走行時とのいずれの場合にも、適切な状態で使用できる、新規な着座シート用のバックレストを開発することを課題としたものである。
【課題を解決するための手段】
【０００５】
請求項１記載の着座シート用のバックレストは、メインシートと、その後方に設けられるタンデムスペースとを具える車両着座部に設けられるバックレストであって、
前記バックレストは、バックレストパッドと、このバックレストパッドから左右両側下方に向けて、前後方向に偏向するように伸びる偏向延長形状を有するステー本体とを具え、前記ステー本体は、その下方に着座部周辺の支持部材への固定構造を有し、前記ステー本体の有する偏向延長形状により、バックレストを前後方向いずれかの向きを選択して、支持部材に固定できるようにし、バックレストパッドをメインシート直後方に臨ませた状態と、タンデムスペース直後方に臨ませた状態とを選択することができるように構成したことを特徴として成るものである。
【０００６】
請求項２記載の着座シート用のバックレストは、前記請求項１記載の要件に加え、前記ステー本体については、上方に設けられてバックレストパッドを支持するパッド支持枠と、このパッド支持枠を介して上方において一体に組み付けられる左右一対の偏向ステーとを具えて構成され、前記パッド支持枠に対して、その前後面にバックレストパッドを付け替え自在に構成していることを特徴として成るものである。
【０００７】
請求項３記載の着座シート用のバックレストは、前記請求項１または２記載の要件に加え、前記支持部材への固定構造については、片側ごとに前後一対とした前側と、後側のボルト孔であることを特徴として成るものである。
【０００８】
請求項４記載の着座シート用のバックレストは、前記請求項３記載の要件に加え、前記前後一対のボルト孔のいずれか一方または双方に対し、角度調整用ボルト孔を併設したことを特徴として成るものである。
【考案の効果】
【０００９】
まず請求項１記載の考案によれば、バックレストを前向き乃至は後向きとして、いわばリバーシブル状態に付け替えることにより、バックレストパッドをソロライディングの場合と、タンデムライディングの場合とのそれぞれの場合に応じて適切な位置に設けることができる。
【００１０】
また請求項２記載の考案によれば、バックレストパッドを支持するバックレストパッド支持枠と偏向ステーとの組み合わせによりステー本体が構成されており、それぞれ異なる仕様のものを用意すれば、適用可能な車種の選択自由度が増し、且つライダーの体格に応じてのバックレストパッドの装着位置等の選択自由度も増す。
【００１１】
また請求項３記載の考案によれば、支持部材への固定構造は、ボルト孔を利用したボルト止めであり、極めてシンプルで強固な取付態様が得られる。
【００１２】
また請求項４記載の考案によれば、角度調整用ボルト孔を併設すれば、ライダーの体格、ライディングフォームの差異やソロライディングとタンデムライディングとの状況の相違等それぞれの状況に応じて適切なバックレストの設置角度を選択することができる。
【図面の簡単な説明】
【００１３】
【図１】本考案に係る着座シート用のバックレストの使用状態を示す説明図である。
【図２】同上バックレストの側面図（ａ）及び正面図（ｂ）並びに設定角度の調整構造の一例を示す側面図（ｃ）である。
【図３】同上バックレストの斜視図（ａ）及び分解斜視図（ｂ）である。
【図４】同上バックレストの固定手法の他の実施例を示す説明図である。
【図５】同上バックレストの固定手法の他の実施例を示す斜視図である。
【図６】同上バックレストのバックレストパッドの他の形態を示す斜視図である。
【考案を実施するための形態】
【００１４】
本考案を実施するための形態は、以下述べる実施例をその一つとするとともに、この技術思想に基づく種々の改良した実施例も含むものである。
【実施例１】
【００１５】
以下、本考案を図示の実施例に基づいて具体的に説明する。
先ず図１において、本考案たる着座シート用のバックレスト１を適用した自動二輪車ＭＣを示す。この自動二輪車ＭＣにおいては、本考案に関連する部材として、車体前後方向中央にメインシートＳ１を具え、その後方にタンデムシートＳ２、あるいはキャリアＣを設けるものである。なおこのタンデムシートＳ２、あるいはメインシートＳ１の後方のキャリアＣのスペースをタンデムスペースという。
なお図示の実施例は、いわゆるアメリカンタイプと称される自動二輪車であるが、本考案の適用対象としては、スクーターや、三輪車両のトライシクル等、他に分類されるものも含むものである。
【００１６】
以下、バックレスト１について具体的に説明する。バックレスト１は、自動二輪車ＭＣの固定部材であるフレーム２に取り付けられるものであり、具体的には、車両後方のショックアブソーバユニットの上部ピボット後方からリアフェンダを支持するフレーム部分に支持される。もちろんフレーム以外、例えばリアフェンダ側面等が充分な強度を具えるときには、これらのものに固定しても良い。
まずバックレスト１の主要部材は、バックレストパッド１１とステー本体１２とである。バックレストパッド１１は、ライダーＲがバックレスト１を用いたときに腰部にクッション性をもって接触するような素材で構成されるものであり、取付部を一定の剛性を有する固定面１３として、そこに固定用のナット孔１３Ａを設ける。このナット孔１３ＡにボルトＢを捻じ込み状に組み合わせることにより、前記ステー本体１２に対し、その上方にバックレストパッド１１を取り付ける。もちろんナット孔１３Ａとするほか、スタッドボルトを設けてステー本体１２側にナットを捻じ合わせて固定を図る形態であっても、もとより差し支えない。
【００１７】
一方ステー本体１２は、一例としてパッド支持枠１４と、その左右両側下方に向けて前後方向に偏向するように伸びる偏向ステー１５とが組み合わされて構成される。
まずパッド支持枠１４は、例えば金属角棒を曲げたアーチ状のフレームのアーチ内側にパッドプレート１４２を形成し、ここにボルト孔１４Ａを一例として左右一対開口させ、ここに適宜のボルトＢを用いて、前記バックレストパッド１１を固定するように図る。
一方パッド支持枠１４の下方には、これを側方に向けて貫通するような一例として上下２個のボルト孔１４３Ａを形成する。
【００１８】
一方偏向ステー１５は、一例として必要とされる剛性を有する板厚の金属素材を用いて形成されるものであって、パッド支持頂部１５１から下部偏向部１５２が連続的に形成されている。なおこの下部偏向部１５２は、下方に向けて前後方向にずれるような偏向延長形状を有している。なおここで前後方向にずれる、と表現したのは、後述するようにバックレスト１は、ソロ用かタンデム用かで、取付方向を前後に切り替え、いわばリバーシブルに取り付けることから、いずれを前方と定義するか断定できないからである。しかしながら、その表現では理解し難いこともあり、従って、以下ソロライディング時を基準として、車体前方方向に位置する側を「前方」として定義して記載する。結果的に下部偏向部１５２は、パッド支持頂部１５１から下方後方に向けて偏向している。
前記パッド支持頂部１５１と下部偏向部１５２とには、それぞれ固定のためのボルト孔１５３、１５４を有するものであり、前記パッド支持頂部１５１には、上下２箇所にボルト孔１５３が形成されている。このボルト孔１５３の間隔、形状は、前記パッド支持枠１４におけるボルト孔１４Ａと重なり合うような形成状態とする。
一方、ボルト孔１５４は、一例として３箇所に形成されるものであり、前方に寄った位置に前側ボルト孔１５４Ａを一箇所形成し、下部偏向部１５２の後方側に寄った位置に後側ボルト孔１５４Ｂを形成するものであり、更にその下方に添えるように角度調整用ボルト孔１５４Ｃを形成する。
なお固定部材たるフレーム２について更に述べると、フレーム２を貫くように固定ボルト２１が２本用意されるものであって、これらを前部固定ボルト２１Ａと後部固定ボルト２１Ｂとする。この固定ボルト２１に対しては、必要に応じてフレーム２とステー本体１２との確実な固定のため、ブッシュ状のスペーサ２２を設けてもよい。
【００１９】
本考案たる着座シート用のバックレスト１は、以上述べたような構成を有するものであり、次のような用い方がされる。
（１）バックレスト１の組立状態
まずバックレスト１単体の状態は、まず偏向ステー１５の上部にパッド支持枠１４を適宜のボルトＢで固定したものであり、前後方向で視たときに全体としてアーチ型を成し、一方側面視では下方が後方に偏向するように途中で屈曲した横「く」字状乃至は逆「へ」字状とでも呼ぶような形状である。そして一例として、ソロライディング用の形態としては、パッド支持枠１４に対し、バックレストパッド１１を偏向ステー１５の偏向側と反対側、即ち前方に固定する。因みに後述するタンデムライディングに用いる場合には、バックレストパッド１１は、パッド支持枠１４に対して偏向ステー１５の偏向する側、即ち後方に向けて取り付けられる。
【００２０】
（２）＜Ａ．ソロライディング時の取付形態＞
このように単体化したバックレスト１をソロライディング用として用いる場合には、支持部材たるフレーム２に固定ボルト２１を用いて固定する。即ちバックレスト１は、前側ボルト孔１５４Ａにおいて前部固定ボルト２１Ａによりフレーム２に固定されるとともに、後側ボルト孔１５４Ｂにおいて後部固定ボルト２１Ｂによりフレーム２に固定される。結果的にステー本体１２の下方部位から視るとステー本体１２の上方は、前方上方に向って偏向するような形態となる。この位置で前記ステー本体１２の前方頂部に設けられているバックレストパッド１１は、メインシートＳ１の直後方の幾分か高い位置にセットされる。
このようにしたときには、メインシートＳ１に着座したライダーＲは、メインシートＳ１により上半身の体重をほぼ支えられるとともに、その腰部上方は、バックレスト１に後方から支持されるようになり、安楽な状態でのライディング姿勢が得られる。
【００２１】
＜Ｂ．タンデムライディング時の取付態様＞
一方タンデムライディングにあたっては、固定ボルト２１によるステー本体１２の固定を解除し、バックレスト１の全体を逆向き、即ちバックレストパッド１１が後方に位置するような状態にしてフレーム２に対して固定する。具体的操作は、後方に位置することとなった偏向ステー１５の下方にある前側ボルト孔１５４Ａに対し、後部固定ボルト２１Ｂを挿入してバックレスト１をフレーム２に固定するとともに、前方に位置することとなった後側ボルト孔１５４Ｂを利用して前部固定ボルト２１Ａにより締付固定する。
なおこのとき、後側ボルト孔１５４Ｂの直下方の位置に角度調整用ボルト孔１５４Ｃが設けられており、バックレスト１を後方にした場合、バックレストパッド１１がタンデムライダーＲ１に対して望ましい角度が得られていない場合には、角度調整用ボルト孔１５４Ｃを利用して、ここに前部固定ボルト２１Ａを嵌め込み、バックレスト１全体を幾分か後下がり状態とした設置角度を得ることも可能である。なおこのようなことから理解できるように、後側ボルト孔１５４Ｂと角度調整用ボルト孔１５４Ｃとの組み合わせに替え、図２（Ｃ）に示すようにこれを幾分か円弧状の長孔１５４Ｄとして無段階に調整できるような構成とすることももとより差し支えない。
【００２２】
このようにした場合には、実際はバックレストパッド１１は、ソロライディング用として取り付けられた状態のままでは後方に向いた状態となっている。このため、バックレストパッド１１をパッド支持枠１４の適宜のボルトＢを緩めて取り外し、パッドプレート１４２に対し、バックレストパッド１１をバックレスト１の後方に向うように付け替え、結果的には車両の前後方向で見れば、バックレストパッド１１が前方に向くように取り付ける。このようにしたときには、タンデムシートＳ２とメインシートＳ１との間にこれを仕切るようなバックレスト１は存在せず、更にタンデムシートＳ２の後方にバックレスト１が形成されることになる。その結果、タンデムライダーＲ１は、腰部上方をバックレスト１に預けるようにタンデムライディングをすることができ、乗車時の安心感、安定感をより確実に得られる。そして、バックレスト１がタンデムシートＳ２の前方に存在しないときには、更にライダーＲとの一体感が得られるものである。
なお図１（ａ）に示す実施例は、タンデムシートＳ２に変えてキャリアＣが設けられているものであり、この場合には、専らソロライディングにおける積荷を前提としているものである。
【００２３】
〔他の実施の形態〕
本考案は以上述べた実施の形態を一つの基本的な技術思想とするものであるが、更に次のような改変が考えられる。
まず支持部材であるフレーム２に取り付け固定するにあたって、その作業をより迅速にするために図４に示すようにクイックレリーズ２１０を用いてバックレスト１を車体に取り付けることが可能である。なおこの場合には、ボルト孔１５４については、オープンタイプのスリット状とすることが望ましい。
【００２４】
また先の実施例は、前後に二箇所のボルト孔により取り付けを図ったものであるが、例えば図５に示すように例えば菊座等と呼ばれる平セレーション２１１をフレーム２側とステー本体１２側とに形成しておき、適宜の角度でバックレスト１を設定できるようにすることが可能である。
【００２５】
またバックレストパッド１１は、パッド支持枠１４に対し、ソロライディング、タンデムライディングのそれぞれの態様で付け替えていたが、図６に示すようにパッド支持枠１４の全体を覆うような形態とすれば、あえてパッド支持枠１４に対し、バックレストパッド１１の付け替え作業を行わなくても、常にそのクッション面をライダーＲ、タンデムライダーＲ１に対してあてがうようにすることができる。
【符号の説明】
【００２６】
ＭＣ      自動二輪車
Ｒ        ライダー
Ｒ１      タンデムライダー
Ｓ１      メインシート
Ｓ２      タンデムシート
Ｃ        キャリア
Ｂ        ボルト
１        バックレスト
１１      バックレストパッド
１２      ステー本体
１３      固定面
１３Ａ    ナット孔
１４      パッド支持枠
１４２    パッドプレート
１４Ａ    ボルト孔
１５      偏向ステー
１５１    パッド支持頂部
１５２    下部偏向部
１５３    ボルト孔
１５４    ボルト孔
１５４Ａ  前側ボルト孔
１５４Ｂ  後側ボルト孔
１５４Ｃ  角度調整用ボルト孔
１５４Ｄ  長孔
２        フレーム
２１      固定ボルト
２１Ａ    前部固定ボルト
２１Ｂ    後部固定ボルト
２１０    クイックレリーズ
２１１    平セレーション
２２      スペーサ
【図１】
0003194036.tif 000003
【図２】
0003194036.tif 000004
【図３】
0003194036.tif 000005
【図４】
0003194036.tif 000006
【図５】
0003194036.tif 000007
【図６】
0003194036.tif 000008